(57)【要約】      （修正有）【課題】ワイパー交換作業を容易にした自動車のフロントガラス拭きシステムを構築するためのアセンブリ及びこのアセンブリを含む接続デバイスを提供する。【解決手段】ワイパーを動かすように構成されたワイパーアーム７の端部取付具５と、液体を前記ワイパーに供給し、および／または前記液体を加熱するための液圧および／または電気コネクタ１１とを含む、自動車のフロントガラス拭きシステムの製造アセンブリ１であって、端部取付具５は、アーム７とワイパーとの間の回転を許容するアダプタを受けるように構成され、端部取付具５は、アーム７へのコネクタ１１の接続解除および／または接続を可能にする、いわゆる、サービスポジションにおいて、端部取付具５に対して配向される方法で液圧および／または電気コネクタ１１と係合するように構成されるアセンブリ１。【選択図】図３
2014223906.tif 000002
【特許請求の範囲】
【請求項１】
ワイパー（９）を動かすように構成されたワイパーアーム（７）の端部取付具（５）を含む、自動車のフロントガラス拭きシステム（３）を構築するためのアセンブリ（１）であって、
前記アセンブリは、接続インタフェース（１１）をさらに含み、
前記端部取付具（５）は、前記ワイパーアーム（７）と前記ワイパー（９）との間の回転を許容するアダプタ（１３）を受けるように構成され、
前記端部取付具（５）は、前記接続インタフェース（１１）を内部に収容し、前記端部取付具（５）は、いわゆる、サービスポジションにおいて、前記端部取付具（５）から少なくとも１つの折り返しタブ（４３、４３’）を介して、前記端部取付具（５）に対して配向された態様で前記接続インタフェース（１１）と係合するように構成され、前記ワイパーアーム（７）への前記ワイパー（９）の接続解除および／または接続を可能にする、アセンブリ（１）。
【請求項２】
前記接続インタフェース（１１）は、前記係合が外れた、前記拭きシステム（３）の作業ポジションから前記サービスポジションへ、前記端部取付具（５）に対して回転可動である、請求項１に記載のアセンブリ（１）。
【請求項３】
前記係合ポジションは、前記ポジションからハードロック点への移行に対応する、請求項１または２に記載のアセンブリ（１）。
【請求項４】
前記端部取付具（５）は、本体（４１）を備え、前記本体（４１）は、前記本体（４１）の材料由来の形状を有するアセンブリによって、前記係合時に前記接続インタフェース（１１）を前記本体に確実に取り付けるように構成される、請求項１から３のいずれか一項に記載のアセンブリ（１）。
【請求項５】
前記本体（４１）は、並進運動によって前記アダプタ（１３）を受けるように構成される、請求項１から４のいずれか一項に記載のアセンブリ（１）。
【請求項６】
前記端部取付具（５）は、前記端部取付具（５）との前記接続インタフェース（１１）の前記係合時に前記接続インタフェース（１１）のピン（４７）の係合を許容するオリフィス（４５）が設けられた少なくとも１つのタブ（４３）を備える、請求項１から５のいずれか一項に記載のアセンブリ（１）。
【請求項７】
前記タブ（４３）は、前記端部取付具（５）内に配置され、前記端部取付具（５）の上部に形成される、請求項１から６のいずれか一項に記載のアセンブリ（１）。
【請求項８】
前記端部取付具（５）は、前記端部取付具（５）との前記接続インタフェース（１１）の前記係合時に、前記接続インタフェースの少なくとも１つのスナッグ（４７’）を受けるように形作られた少なくとも１つのタブ（４３’）を備える、請求項１から６のいずれか一項に記載のアセンブリ（１）。
【請求項９】
前記アーム（７）に対する前記ワイパー（９）の、ゼロもしくはほぼゼロ場合によってはマイナスの角度であるほぼ垂直の角度に、前記係合ポジションが対応するように形作られている、請求項１から８のいずれか一項に記載のアセンブリ（１）。
【請求項１０】
請求項１から９のいずれか一項に記載の前記アセンブリ（１）を含む車両のフロントガラス拭きシステム（３）の接続デバイス（１２）であって、
前記ワイパーを前記ワイパーアーム（７）に取り付けるために前記ワイパー（９）に固定されるように構成された機械コネクタ（１５）と、
前記ワイパー（９）と前記アーム（７）との間の回転を許容するように前記機械コネクタ（１５）に連接されるように構成された前記アダプタ（１３）と、
を含み、
前記アダプタ（１３）は、前記端部取付具（５）に挿入されるように構成される、接続デバイス（１２）。
【請求項１１】
前記機械コネクタ（１５）は、前記接続インタフェース（１１）への前記ワイパー（９）の液圧および／または電気接続を許容するように構成される、請求項１０に記載の接続デバイス（１２）。
【請求項１２】
前記アダプタ（１３）は、前記端部取付具（５）の開口部（２５）において協働するロックボタン（２３）を備える、請求項１０または１１に記載の接続デバイス（１２）。
【請求項１３】
前記機械コネクタ（１５）は、前記接続インタフェース（１１）を支持するように構成される、請求項１０から１２のいずれか一項に記載の接続デバイス（１２）。
【請求項１４】
ワイパー（９）と、
ワイパーアーム（７）と、
前記ワイパー（９）を前記ワイパーアーム（７）に取り付けるための、請求項１０から１３のいずれか一項に記載の接続デバイス（１２）と、
を含む、車両のフロントガラス拭きシステム（３）。
【発明の詳細な説明】
【技術分野】
【０００１】
本発明の分野は、車両機器の分野に関し、特に、自動車のウインドウを払き取るための機器の分野に関する。
【背景技術】
【０００２】
自動車には、通常、フロントガラスを洗浄して運転者の周囲環境視野の妨げを防止するためのフロントガラス拭きシステムが装備されている。作業ポジションにおいて、これらのフロントガラスワイパーは、従来、前後の角運動を行うワイパーアームによって駆動され、弾性材料で作られたワイパーブレードを保持する細長いワイパーを含む。これらのブレードは、フロントガラスに擦りつけられ、運転者の視野から水を排除する。ワイパーは、複数の別個の場所でワイパーブレードを保持する従来の形態の連接式の支持バーか、またはワイパーブレードを全長にわたって保持する半剛性アセンブリであるより最新式の、いわゆる、「フラットブレード」形態のいずれかで製造される。いずれの解決策でも、ワイパーは、機械コネクタおよびアダプタからなるアセンブリによってワイパーアームに取り付けられる。機械コネクタは、支持バーに圧着されるか、またはフラットワイパーに直接圧着される部品であり、アダプタは、コネクタをワイパーアームに固定するための中間部品である。これらの２つの部品は、フロントガラスに対して垂直方向にワイパーアームを貫通する平面において、これらの２つの部品が相対的に回転できるようにする横断シャフトによって互いに接続される。
【０００３】
また、ボンネットの下方に設置されたタンクからフロントガラス洗浄液を供給し、洗浄液をより良好に分配するために、フロントガラス付近またはフロントガラスワイパー自体に設置されたノズルを介してフロントガラスの方向に洗浄液を吹き付けるための装置が車両に設けられることが知られている。ノズルがワイパーに設置される場合、フロントガラス洗浄液はパイプを介して供給され、パイプは、ワイパーアームに固定され、機械コネクタのレベルで接続インタフェースを介してワイパーに接続される。接続インタフェースは、適切な終端部によって機械コネクタに固定され、機械コネクタに必要なシールをなす。
【０００４】
一般に、洗浄液パイプおよび接続インタフェースはワイパーアームに接続されるが、接続インタフェースはワイパーに接続されているため、ワイパーの交換時には接続インタフェースを機械コネクタに接続する必要がある。この操作は、いわゆる、サービスポジションにて行われる。
【発明の概要】
【発明が解決しようとする課題】
【０００５】
接続インタフェースは、機械コネクタに据え付ける際、正確に位置合わせさせる必要があり、不正確に組み付けられると、フロントガラス洗浄液の漏れおよび／または２つのコネクタの接合レベルでの電気絶縁欠陥の危険をもたらしうる。
【０００６】
さらに、重要なのは、ワイパーアームに対するワイパーの連結または装着を解除する間、接続インタフェースは、ワイパーアームに取り付けられたままであることである。これにより、ワイパーをワイパーアームから分離する動きの間、接続インタフェースは、機械コネクタによって同行されない。
【０００７】
しかしながら、ワイパーをアームに装着した後、接続インタフェースは、特に、拭きシステムが再度作業ポジションにあるとき、機械コネクタに対するアダプタの回転運動の必要な自由度を制限することができない。
【０００８】
このため、ワイパーアームに取り付けられた部品にある開口に接続インタフェースをクリッピングすることによって接続インタフェースがサービスポジションに保持されている既知のフロントガラスワイパーが知られている。しかしながら、これには製造やアームへの組み立てが比較的複雑な中間部品が必要になる。
【０００９】
本発明の目的は、これらの欠点のいくつかまたはすべてを解消することである。
【課題を解決するための手段】
【００１０】
この目的を達成するために、本発明は、ワイパーを動かすように構成されたワイパーアームの端部取付具を含む自動車フロントガラス拭きシステムを構築するためのアセンブリであって、接続インタフェースをさらに含み、特に、前記ワイパーへの液体の供給および／または前記液体の加熱を行うための液圧および／または電気コネクタをさらに含み、前記端部取付具は、前記アームと前記ワイパーとの間の回転を許容するアダプタを受けるように構成され、前記接続インタフェースを内部に受けるアセンブリに関する。
【００１１】
本発明によれば、前記端部取付具は、いわゆる、サービスポジションに、端部取付具からの同じ材料の少なくとも１つの折り返しタブを介して、端部取付具に対して配向させて前記接続インタフェースを係合するように構成され、アームへのワイパーの接続解除および／または接続を可能にする。
【００１２】
このように、接続インタフェースは、前記ワイパーをアームに接続解除および接続するために、アームの適所に割出しされて中間部品なしでサービスポジションに配向させて不動にされる。前記サービスポジション以外では、前記アセンブリは、前記接続インタフェースが端部取付具に対して自由になるように構成される。前記端部取付具は、アームに対するワイパーの動きによって、例えば、アームに対するワイパーの回転によって係合が得られるように構成される。
【００１３】
このように、係合は所定の位置、好適には、アームに対してワイパーをゼロまたはほぼゼロ、場合によっては、マイナスのほぼ垂直の角度に相当する位置において得られ、これにより、前記係合が作業ポジションと干渉しないため、アームに対するワイパーの回転を制限しないようにすることができる。
【００１４】
前記係合位置は、好適には、ユーザによって知覚され、特に、サービスポジションを決定するハードロック点の存在によって知覚される。
【００１５】
本発明によれば、以下の特性は、別々に、または組み合わせて用いることができる。
−前記端部取付具は、本体を備え、前記本体は、前記本体の材料由来の形状を有するアセンブリによって、前記係合時に前記接続インタフェースを前記本体に確実に取り付けるように構成される。
−端部取付具および前記接続インタフェースは、前記係合により、例えば、クリッピングによって確実に組み合わせることができる相補的な形状をもたせて設けられる。
−前記端部取付具は、端部取付具の内側に向いた少なくとも１つの折り返しタブを有し、少なくとも１つの折り返しタブは、端部取付具と同じ材料のものである。
−前記本体は、特に、端部取付具の長手方向拡張部の軸での並進運動によって前記アダプタを受けるように構成される。
−前記本体は、可逆的に、例えば、引き込み式のロックボタンによって、前記アダプタが前記端部取付具に固定されるように構成される。
−前記端部取付具は、前記接続インタフェースと前記端部取付具とが係合時に接続インタフェースのピンと係合するようにされたオリフィスが設けられた少なくとも１つのタブを備える。
−前記タブには、接続インタフェースと端部取付具とが係合すると、接続インタフェースのボイドまたはオリフィスと係合するピンが設けられる。
−前記タブは、端部取付具内に配置されるため、視認できない。
−前記タブは、端部取付具の上部、すなわち、ワイパーとは反対になるようにされた端部取付具の一部に形成され、これは、中間部品には好ましい。
−前記タブは、引き込み式のロックボタンを受けるオリフィスを形成する前記本体の壁を切断することによって得られる。
−前記ピンは、前記係合に対応する切り込みまたは変形を含む。
−前記タブは、端部取付具の側面部に形成される。
−前記タブは、端部取付具の本体の壁の切断および折り返しによって得られる。
−前記アセンブリは、２つのタブを備え、端部取付具の側面部に各々形成され、端部取付具の中間長手平面に対して互いに対称的である場合がある。
−前記接続インタフェースは、接続インタフェースと端部取付具との前記係合により、１つまたは複数の前記タブと協働するような形状の少なくとも１つのスナッグを備える。
−前記接続インタフェースは、例えば、液圧および／または電気コネクタを備える。
【００１６】
また、本発明は、上述したような前記アセンブリを含む車両フロントガラス拭きシステムの接続デバイスであって、前記機械コネクタをワイパーアームに取り付けるために前記ワイパーに機械コネクタが固定されるように構成され、前記アダプタは、ワイパーとアームとの間の回転を許容するように前記機械コネクタに連接されるように構成され、前記アダプタは、前記端部取付具に挿入されるように構成される接続デバイスに関する。
【００１７】
前記端部取付具、前記アダプタおよび／または前記機械コネクタは、一方を他方に挿入する際、前記端部取付具において機械コネクタおよび／またはアダプタを誘導するように、特に、並進させて誘導するように相互に構成される。前記機械コネクタは、ワイパーが前記接続インタフェースに液圧および／または電気接続が可能なようにさらに構成される。
【００１８】
本発明により、ワイパーの交換時、サービスポジションにおいて前記接続インタフェースおよび前記機械コネクタを位置合わせすることができる。作業ポジションにおいて、機械コネクタが液圧コネクタおよび／または電気コネクタを支持することができるようにされる。
【００１９】
ワイパーアームへの機械コネクタの接続のロックは、端部取付具にこの目的のために設けられた開口において協働するアダプタのロックボタンを介して、アダプタによって確保される。
【００２０】
本発明はまた、ワイパーと、ワイパーアームと、ワイパーをワイパーアームに接続し、ワイパーおよびワイパーアームを、液圧により、および／または電気的に接続するための上述したような接続デバイスとを含む車両フロントガラス拭きシステムに関する。
【００２１】
本発明は、以下によりさらに深く理解され、添付の図面を参照しながら説明的および非制限的な目的の実施例によって与えられた本発明の複数の実施形態を以下に詳細に説明的に記載する過程で、本発明の他の目的、詳細、特徴および利点がより明確になるであろう。
【図面の簡単な説明】
【００２２】
【図１】本発明の１つの実施形態による接続デバイスを含む自動車の拭きシステムの全体斜視図である。
【図２】図１の詳細図である。
【図３】作業ポジションにある本発明の第１の実施形態による車両フロントガラス拭きシステムの接続デバイスの長手断面略図である。
【図４】サービスポジションにあるこの接続デバイスの長手断面斜視図である。
【図５】図４のデバイスの長手断面略図である。
【図６】接続デバイスの機械コネクタの接続解除を示す図５に類似した図である。
【図７】本発明の第２の実施形態による接続デバイスの端部取付具の斜視図である。
【図８】サービスポジションにある第２の実施形態による接続デバイスの長手断面略図である。
【発明を実施するための形態】
【００２３】
図面は、本発明を詳細に開示したものであり、当然ながら、必要に応じて、本発明をより良好に規定する役割を果たすこともあることに留意されたい。
【００２４】
本明細書の以下の記載において、長手および横断という用語は、フロントガラスワイパーが装着されるワイパーアームの向きを指す。長手方向は、ワイパーアームが延伸するワイパーアームの主軸に相当し、横断の向きは、同時発生の直線分、すなわち、長手方向と交わり、特に、ワイパーアームの長手軸に対して垂直な線分に相当する。長手方向に関して、前方という用語は、ワイパーアームの近位端から遠位端に向かう方向を示し、後方という用語は、その反対方向を示す。さらに、上側および下側と呼ばれる方向は、ワイパーアームの回転平面に対して垂直の向きに相当し、下側という用語は、フロントガラスの平面を含む。
【００２５】
最後に、同一の参照番号は、同一または類似した要素を示すために使用される。
【００２６】
図１および図２に示すように、本発明は、ワイパー９およびワイパーアーム７を含む拭きシステム３に関する。ワイパー９は、自体公知の上述したようなフラットワイパーである。前記システムは、ワイパー９をアーム７に接続するためのデバイス１２をさらに含む。
【００２７】
前記接続デバイス１２の実施形態の要素をさらに詳細に記載するために、以下、図８が参照されうる。接続デバイスは、アダプタ１３と、機械コネクタ１５とを備え、同図に示すアダプタ１３および機械コネクタ１５は、これらの図の該当する本発明の第２の実施形態に対してのみ適したものではなく、第１の実施形態にも、より一般には、図示していない他の実施形態にも適したものである。
【００２８】
前記アダプタ１３は、ワイパー９とワイパーアーム７と間の回転を許容する。実際に、ワイパーは、ワイパーが拭き対象のウインドウの湾曲に沿うことができるように、ワイパーアームに対して、より詳細には、前記アーム７の端部取付具５に対して少なくとも１回転自由度を有する必要がある。前記アダプタ１３は、機械コネクタ１５に連接され、機械コネクタ１５は、この目的のために横断側面にピン１７を含み、前記ピンは、前記アダプタの横断側面にあるオリフィス１９と協働する。機械コネクタ１５は、例えば、アダプタのヨーク２１に挿入される。
【００２９】
アダプタ１３は、端部取付具５に固定目的で設けられた凹部２５と協働する引き込み式のロックボタン２３によってアダプタが可逆的に固定される位置である端部取付具５に隣接した使用位置にくるように、端部取付具５が延伸する長手軸ｄに沿った並進運動によって端部取付具５に挿入されるように構成される。この位置において、前記端部取付具５はアダプタ１３を覆う。引き込み式ボタン２３および／または凹部２５は、ここでは、前記アダプタ１３および前記端部取付具５のそれぞれの上側部分にあり、前記ボタン２３は、アダプタの可撓性ラグ２７の後方端部に位置する。さまざまなロックの変形例が可能である。
【００３０】
ここで、端部取付具５の形状は、逆「Ｕ」字状であり、この「Ｕ」字の開口部はフロントガラスと対面する。アダプタ１３のヨーク形状２１は、例えば、端部取付具に収容されるように、端部取付具５の内部容積と相補的である。ワイパー９がワイパーアーム７に配置されると、アダプタは、開口部２９を介して開口部の遠位端で前記端部取付具に挿入され、横断側面のリム３１（図７）によって端部取付具に並進誘導される。
【００３１】
ワイパー９に固定された機械コネクタ１５、または、好ましくは、アダプタ１３は、端部取付具５の前方部分を閉鎖するキャップと呼ばれる外壁３３を有してもよい。
【００３２】
以上のことから、本発明によれば、本発明はまた、拭きシステム３を構築するためのアセンブリ１に関する。前記アセンブリは、アーム７の端部取付具５と、この端部取付具５に収容された接続インタフェース１１とを含む。ここで、前記接続インタフェース１１は、以下、液圧および／または電気コネクタとも呼ぶ、互いに固定される場合がある液圧コネクタ３７および／または電気コネクタ３９を含む。前記接続インタフェース１１は、ワイパー９に液体を供給するために、および／または、液体および／またはワイパーを加熱するために使用される。
【００３３】
内面と呼ばれるキャップ３３と反対の面は、前記液圧および／または電気コネクタ１１に面する。
【００３４】
ここで、機械コネクタ１５は、フロントガラス洗浄液をワイパーに分配するための内部通路５３に続く液圧コネクタ３７の対応する差込み部５１に機械コネクタを接続するためのオリフィス４０と、電気コネクタ３９の端子４４を接続するためのオリフィス４２とを含む。特に、液圧コネクタの１つまたは２つの差込み部５１および／またはワイパーの１つまたは２つの内部チャネル５３のそれぞれに対応する１つまたは２つの接続オリフィス４０が存在しうる。
【００３５】
前記端部取付具５は、アーム７へのコネクタ１１の接続解除および／または接続が可能な位置、すなわち、サービスポジションにおいて、端部取付具５に対して配向された態様で前記液圧および／または電気コネクタ１１と係合するように構成される。
【００３６】
より詳細には、前記端部取付具５は、本体４１の異なる部品とコネクタ１１とのアセンブリによって、および／または、液圧および／または電気コネクタ１１との本体４１の材料由来の形状を有するアセンブリによって、前記係合時に前記液圧および／または電気コネクタ１１を端部取付具にしっかりと取り付けるように構成された本体４１を備える。
【００３７】
端部取付具５および前記液圧および／または電気コネクタ１１は、前記係合時に、例えば、クリッピング、ピンチング等によって固定して組み立てられるような相補的な形状で設けられてもよい。異なる実施形態の方法に共通して、アーム７の端部取付具５は、液圧および／または電気コネクタ、すなわち、接続インタフェース１１を保持するように配置された端部取付具５から折り畳まれた少なくとも１つの折り返しタブ４３、４３’を有する。
【００３８】
図３から図６に示す第１の実施形態によれば、端部取付具５は、液圧および／または電気コネクタのピン４７の係合、ひいては、端部取付具５との液圧および／または電気コネクタの前記係合を可能にするためのオリフィス４５が設けられた折り返しタブ４３を備える。さらに詳しく言えば、ピン４７は、液圧コネクタ３７上に形成され、および／または、電気コネクタ３９を液圧コネクタに固定して取り付けるように電気コネクタ３９に装着される。
【００３９】
前記タブ４３は、端部取付具５内に配置されるため、視認できない。タブは、端部取付具の上部、特に、その中央部に形成される。タブは、前記ボイド２５を形成する端部取付具の本体４１の壁を切断し折り畳むことで得ることもできる。
【００４０】
ここで、図７および図８に示す第２の実施形態による端部取付具５は、液圧および／または電気コネクタと端部取付具との前記係合時に、例えば、クリッピングによって、前記液圧および／または電気コネクタの少なくとも１つのスナッグ４７’と係合するような形状の少なくとも１つのタブ４３’を備える。
【００４１】
前記タブ４３’は、例えば、端部取付具５の内部の方へ折り畳まれ、したがって、視認できない状態で、特に、端部取付具５の側面部に形成される。
【００４２】
ここで、前記タブは、本体４１の壁、特に、端部取付具５の側縁を切断し折り畳むことで得られる。
【００４３】
図示した前記アセンブリ１は、好適には、２つのタブ４３’を備え、各タブは、端部取付具５の側面部に、端部取付具の中央長手面Ｐに対して互いに対称的に形成される。タブ４３’は、液圧および／または電気コネクタのスナッグ４７’と係合すると互いに協働し、好ましくは、各タブは、タブの上部にある互いに対向するボイド４９に２つのスナッグ４７’を受け入れる。前記タブ４３’は、前記クリッピングに有利な斜面を有しうる。
【００４４】
前記タブ４３、４３’は、機械コネクタに対してアダプタの回転軸から一定距離の位置に設けられる。
【００４５】
前記係合は、好適には、端部取付具の長手拡張部ｄの軸方向に対して平行な液圧および／または電気コネクタの位置において得られ、すなわち、端部取付具５および液圧および／または電気コネクタの差込み部５１またはプラグ４４が端部取付具の長手拡張部ｄの前記方向に配置されるときに得られる。
【００４６】
前記端部取付具５は、端部取付具５および前記液圧および／または電気コネクタの前記係合を分離することができるようにさらに構成される。言い換えれば、液圧および／または電気コネクタの係合位置は、拭きシステム３の作業ポジションを回復させるために、この目的のためにワイパーに圧力をかけて、アーム７に対してワイパー９を回転することによって離れうる。
【００４７】
このように、前記係合は、わずかな力をかけて前記アーム７に対してワイパー９を移動させることによって、および／または、同様に、拭きシステムを作業ポジションに切り換えるために分離することで得られる。
【００４８】
上述した実施形態において、作業ポジションにおいて、端部取付具に液圧および／または電気コネクタの支持部品がないことに留意されたい。対照的に、液圧および／または電気コネクタは、前記機械コネクタ１５によって、特に、液圧および／または電気コネクタのフッキングによって支えられている。
【００４９】
以下、接続デバイスの動作について記載する。
【００５０】
ワイパーを交換するためには、例えば、図３に示すように、アーム７に対してワイパー９を回転することによって、端部取付具５に対して液圧および／または電気コネクタ１１を係合すればよい。これは、コネクタおよび端部取付具の係合位置、すなわち、アームに対してワイパーをゼロまたはマイナスのほぼ垂直の角度の前記位置にくるまで、係合が外れた状態のサービスポジションにおいて行われる。係合させるために、図５の矢印による回転方向において、ワイパーに圧力がかけられる必要がある。次に、コネクタのピン４７は、第１の実施形態（図４）のタブ４３のオリフィス４５に係合され、コネクタのスナッグ４７’は、第２の実施形態（図８）のタブ４３’のボイド４９に係合される。この時点では係合が確保された状態にあり、アダプタのロックボタン２３は、図６に示すように押圧することができ、アダプタ１３、ひいては、機械コネクタおよび機械コネクタに固定されたワイパー９は、端部取付具５から並進運動させて抜き取られる。
【００５１】
ワイパー９を別のものと取り替えるためには、前の動きとは逆の動作で接続が行われ、ボタン２３のロックは、アダプタ１３を端部取付具、ひいては、ワイパーをアームに挿入する最終段階で、係合の位置において実行される。この時点で、ワイパー９は、液圧および／または電気コネクタおよび端部取付具の係合を解除し、拭きシステムを使用可能にするために、アーム７に対して回転されうる。
【００５２】
以上のことから、本発明は、ワイパー、特に、いわゆる、「フラットブレード」の形態で製造されたワイパーを含む自動車のウインドウを拭くための装置において、ワイパーを別のワイパーで簡単に置き換える可能性を提供する。
【図１】
2014223906.tif 000003
【図２】
2014223906.tif 000004
【図３】
2014223906.tif 000005
【図４】
2014223906.tif 000006
【図５】
2014223906.tif 000007
【図６】
2014223906.tif 000008
【図７】
2014223906.tif 000009
【図８】
2014223906.tif 000010
【外国語明細書】
2014223906000001.pdf